(57)【要約】固定支持部（１０１）と、被支持物に固定的に接続され、被支持物に駆動されて第１固定接続部材と第２固定接続部材との間の点接触により、固定支持部に対して転動する可動支持部（１０２）と、固定支持部に固定的に接続される第１固定接続部材（１０３１）及び可動支持部に固定的に接続される第２固定接続部材（１０３２）を備える接続部（１０３）とを含むブラケットであって、第１固定接続部材と第２固定接続部材が点接触の方式により一体に接続されて第１固定接続部材と第２固定接続部材を相対的に転動可能にしたブラケット、トロンボエラストグラフ及び支持システムである。該トロンボエラストグラフは回転軸とブラケットを含む。被支持物が回転する時に受ける回転抵抗を低減することができる。【選択図】図２
2019516116.tif 000002
【特許請求の範囲】
【請求項１】
固定支持部と、
ブラケットにより支持された被支持物に固定的に接続可能であり、前記被支持物に駆動されて前記第１固定接続部材と前記第２固定接続部材の間の点接触により前記固定支持部に対して転動可能である可動支持部と、
前記固定支持部に固定的に接続された第１固定接続部材及び前記可動支持部に固定的に接続された第２固定接続部材を備える接続部とを含むブラケットであって、
前記第１固定接続部材と前記第２固定接続部材が点接触の方式により一体に接続されて前記第１固定接続部材と前記第２固定接続部材を相対的に転動可能にしたブラケット。
【請求項２】
前記第１固定接続部材は軸受であり、前記第２固定接続部材は錐体状構造であり、又は、
前記第１固定接続部材は錐体状構造であり、前記第２固定接続部材は軸受であり、
前記軸受は錐体形凹溝を有し、また、前記錐体状構造の先端は前記錐体形凹溝内に位置して前記錐体状構造と前記軸受を点接触の方式により接続する請求項１に記載のブラケット。
【請求項３】
前記第１固定接続部材は宝石軸受を含み、前記第２固定接続部材は頂部錐体を含み、又は、
前記第１固定接続部材は頂部錐体を含み、前記第２固定接続部材は宝石軸受を含み、
前記宝石軸受は錐体形凹溝を備え、前記頂部錐体は錐体状構造であり、前記頂部錐体の先端が前記宝石軸受の錐体形凹溝内に位置して前記頂部錐体と前記宝石軸受を点接触の方式により接続する請求項１に記載のブラケット。
【請求項４】
更に少なくとも一対の磁石を含み、
各対の磁石について、この一対の磁石のうちの第１磁石が前記固定支持部における前記可動支持部に近い一側に固定され、この一対の磁石のうちの第２磁石が前記可動支持部における前記固定支持部に近い一側に固定されており、
前記第１磁石と前記第２磁石が平行にオーバーラップしており、近づけている２つの面が同性磁極である請求項１に記載のブラケット。
【請求項５】
前記固定支持部はＵ型構造であり、２本の縦梁及び前記２本の縦梁の間に固定的に接続された横梁を含み、
前記横梁は前記第１固定接続部材に固定的に接続されている請求項１に記載のブラケット。
【請求項６】
前記２本の縦梁は支持表面に固定されて前記横梁を支持し、且つ前記接続部により前記可動支持部を支持する請求項５に記載のブラケット。
【請求項７】
前記固定支持部は、「二段門」型構造であり、２本の縦梁及び前記２本の縦梁の間に固定的に接続された２本の横梁を含み、前記２本の横梁の間に貫通孔が形成されており、
前記可動支持部は前記貫通孔を貫通し、前記接続部により前記「二段門」型構造の中部の横梁に接続されている請求項１に記載のブラケット。
【請求項８】
前記２本の縦梁は支持表面に固定されて前記２本の横梁を支持し、且つ前記接続部により前記可動支持部を支持する請求項７に記載のブラケット。
【請求項９】
前記可動支持部は、中央に貫通孔を備えた正四角形枠状構造であり、第１と第２横梁及び第１と第２縦梁を含み、前記第１横梁が前記第２固定接続部材に固定的に接続されており、
前記固定支持部は前記可動支持部における前記貫通孔を貫通し、前記接続部により前記可動支持部の第１横梁に接続されており、
前記可動支持部の第２横梁は前記被支持物に固定的に接続可能である請求項１〜８のいずれか一項に記載のブラケット。
【請求項１０】
回転軸及び請求項１〜６のいずれか一項に記載のブラケットを含み、
前記回転軸は前記被支持物として前記ブラケットにおける前記可動支持部に固定的に接続されており、
前記回転軸は被検血液に駆動されて前記可動支持部を連動して転動させることができるトロンボエラストグラフ。
【請求項１１】
前記固定支持部がＵ型構造又は「二段門」型構造である場合に、更に、前記固定支持部の２本の縦梁に固定的に接続された固定台を含む請求項１０に記載のトロンボエラストグラフ。
【請求項１２】
更に、前記固定台に接続されて前記固定台を連動して上昇させたり降下させたりする昇降機構を含む請求項１１に記載のトロンボエラストグラフ。
【請求項１３】
被支持物及び請求項１〜９のいずれか一項に記載のブラケットを含み、
前記被支持物は前記ブラケットにおける可動支持部に固定的に接続されており、外部の駆動作用で前記可動支持部を連動して転動させることができる支持システム。
【発明の詳細な説明】
【技術分野】
【０００１】
本発明は、検出に関し、特にブラケット、トロンボエラストグラフ及び支持システムに関する。
【背景技術】
【０００２】
トロンボエラストグラフは、血液の血液凝固を体外で検出する装置である。トロンボエラストグラフは、転動可能な回転軸を備えており、血液を検出する時に、回転軸を血液に挿入し、血液の回転により回転軸を連動して転動させ、設定された検出時間内に、回転軸の角変位に基づいて血液の血液凝固データを算出する。
【発明の概要】
【０００３】
本発明は、被支持物が回転する時に受ける回転抵抗を低減することができるブラケット、トロンボエラストグラフ及び支持システムを提供する。
【０００４】
本発明の一態様によれば、
固定支持部と、
ブラケットにより支持された被支持物に固定的に接続可能であり、前記被支持物に駆動されて前記第１固定接続部材と前記第２固定接続部材の間の点接触により前記固定支持部に対して転動可能である可動支持部と、
前記固定支持部に固定的に接続された前記第１固定接続部材及び前記可動支持部に固定的に接続された第２固定接続部材を備える接続部とを含むブラケットであって、
前記第１固定接続部材と前記第２固定接続部材が点接触の方式により一体に接続されて前記第１固定接続部材と前記第２固定接続部材を相対的に転動可能にしたブラケットを提供する。
【０００５】
本発明の別の態様によれば、
回転軸及び上記ブラケットを含み、
前記回転軸が前記被支持物として前記ブラケットにおける前記可動支持部に固定的に接続されており、
前記回転軸が被検血液に駆動されて前記可動支持部を連動して転動させることができるトロンボエラストグラフを提供する。
【０００６】
本発明の更に別の態様によれば、
被支持物及び上記ブラケットを含み、
前記被支持物が前記ブラケットにおける可動支持部に固定的に接続されており、外部の駆動作用で前記可動支持部を連動して転動させることができる支持システムを提供する。
【０００７】
本発明の実施例はブラケット、トロンボエラストグラフ及び支持システムを提供し、固定支持部が接続部により可動支持部と被支持物を支持し、接続部における第１固定接続部材と第２固定接続部材が点接触の方式により一体に接続されて二者が相対的に転動可能となる。可動支持部に固定的に接続された被支持物が力を受けた後可動支持部を駆動して第１固定接続部材と第２固定接続部材の間の接触点の回りに転動させることができる。第１固定接続部材と第２固定接続部材が点接触の方式により一体に接続されているため、可動支持部が固定支持部に対して転動する時に可動支持部の転動を妨げる摩擦力を発生する接触点が１つしかない。従来の技術における複数の接触点又は接触面による摩擦力と比べて、ブラケット上で発生する摩擦力を低減して被支持物が回転する時に受ける回転抵抗を低減することができる。
【図面の簡単な説明】
【０００８】
本発明の実施例又は従来の技術における技術的解決手段をより明らかに説明するために、以下、実施例又は従来の技術の記述に必要とされる図面を簡単に説明するが、勿論、以下の記述中の図面は本発明のいくつかの実施例であり、当業者であれば、創造的な労働を払わずに、これらの図面に基づいて他の図面を得ることができることが明らかである。
【０００９】
【図１】本発明の一実施例で提供されるブラケットの模式図である。
【図２】本発明の一実施例で提供される接続部の模式図である。
【図３】本発明の一実施例で提供される、宝石軸受が固定支持部に固定的に接続されたブラケットの模式図である。
【図４】本発明の一実施例で提供される、宝石軸受が可動支持部に固定的に接続されたブラケットの模式図である。
【図５】本発明の一実施例で提供される、磁石を備えたブラケットの模式図である。
【図６】本発明の一実施例で提供される、Ｕ型固定支持部を備えたブラケットの模式図である。
【図７】本発明の一実施例で提供される、「二段門」型構造の固定支持部を備えたブラケットの模式図である。
【図８】本発明の一実施例で提供されるトロンボエラストグラフの模式図である。
【図９】本発明の別の実施例で提供されるトロンボエラストグラフの模式図である。
【図１０】本発明の一実施例で提供される、環状磁石を備えたトロンボエラストグラフの模式図である。
【図１１】本発明の一実施例で提供される、昇降機構を備えたトロンボエラストグラフの模式図である。
【図１２】本発明の一実施例で提供されるトロンボエラストグラフの使用方法の流れ図である。
【図１３】本発明の一実施例で提供される支持システムの模式図である。
【発明を実施するための形態】
【００１０】
本発明の実施例の目的、技術的解決手段及び利点をより明らかにするために、以下、本発明の実施例中の図面を参照しながら、本発明の実施例中の技術的解決手段を明らか且つ完全に記述し、記述される実施例は、全ての実施例ではなく、本発明の一部の実施例であることが明らかである。本発明における実施例に基づいて当業者が創造的な労働を払わずに得た他の実施例は全て本発明の保護範囲に含まれる。
【００１１】
図１に示すように、本発明の一実施例は、
固定支持部１０１と、
被支持物に固定的に接続可能であり、前記被支持物に駆動されて第１固定接続部材１０３１と前記第２固定接続部材１０３２の間の点接触により前記固定支持部１０１に対して転動可能である可動支持部１０２と、
前記固定支持部１０１に固定的に接続された第１固定接続部材１０３１及び前記可動支持部１０２に固定的に接続された第２固定接続部材１０３２を備える接続部１０３とを含むブラケットであって、
前記第１固定接続部材１０３１と前記第２固定接続部材１０３２が点接触の方式により一体に接続されて第１固定接続部材と前記第２固定接続部材を相対的に転動可能にしたブラケットを提供する。
【００１２】
本発明の実施例はブラケットを提供し、固定支持部が接続部により可動支持部と被支持物を支持し、接続部における第１固定接続部材と第２固定接続部材が点接触の方式により一体に接続されて第１固定接続部材と前記第２固定接続部材を相対的に転動可能にした。可動支持部に固定的に接続された被支持物が力を受けた後可動支持部を駆動して第１固定接続部材と第２固定接続部材の間の接触点の回りに転動させることができる。第１固定接続部材と第２固定接続部材が点接触の方式により一体に接続されて二者が相対的に転動可能となるため、可動支持部が固定支持部に対して転動する時に可動支持部の転動を妨げる摩擦力を発生する接触点が１つしかない。従来の技術における複数の接触点又は接触面による摩擦力と比べて、ブラケット上で発生する摩擦力を低減して被支持物が回転する時に受ける回転抵抗を低減することができる。
【００１３】
本発明の実施例では、点接触の方式は、２つの接触部材同士が完全に接触するというわけでなく、且つ接触面積が所定値より小さいようになってよい。例えば、上記第１固定接続部材と第２固定接続部材が点接触の方式により一体に接続された場合に、接触面積が１平方ミリメートルより小さい。
【００１４】
本発明の一実施例では、前記第１固定接続部材は軸受であり、前記第２固定接続部材は錐体状構造であり、又は、前記第１固定接続部材は錐体状構造であり、前記第２固定接続部材は軸受であり、前記軸受は錐体形凹溝を有し、また、前記錐体状構造の先端は前記錐体形凹溝内に位置して前記錐体形凹溝の底部と接触して前記錐体状構造と前記軸受を点接触の方式により接続し、それにより第１固定接続部材と前記第２固定接続部材が相対的に転動可能になる。ここで、軸受は剛性が適切で錐体状構造との間の摩擦力を低減するいかなる材料、例えば、宝石、ガラス、合金、金属などで構成されてもよい。軸受の寸法と形状は可動支持部又は固定支持部に接続されやすく且つ錐体状構造に対応する錐体形凹溝を設置しやすいいかなる適切な寸法と形状であってもよく、例えば、軸受は上表面に錐体形凹溝を備えた円柱状であり、円柱及び錐体形凹溝の直径が錐体状構造の底部直径より適切に大きい。
【００１５】
本発明の更に別の実施例では、接続部における第１固定接続部材と第２固定接続部材は宝石軸受と頂部錐体であってよい。１つの例において、第１固定接続部材は宝石軸受であり、第２固定接続部材は頂部錐体である。別の例において、第１固定接続部材は頂部錐体であり、第２固定接続部材は宝石軸受である。図２に示すように、宝石軸受２０１は餅状構造であり、宝石軸受２０１の１つの平面に錐体形凹溝２０１１が設置されており、頂部錐体２０２は錐体状構造である。頂部錐体２０２の先端は凹溝２０１１内に位置しており、凹溝２０１１の底部と接触するのは頂部錐体２０２の先端しかなく、宝石軸受２０１と頂部錐体２０２が点接触の形式により接続されることが実現される。例えば、頂部錐体２０２は先端に０．８平方ミリメートルの面積を有しており、該０．８平方ミリメートルの面積の先端により宝石軸受２０１の錐体形凹溝２０１１と点接触する。
【００１６】
本発明の一実施例では、接続部における第１固定接続部材は宝石軸受であってもよく、頂部錐体であってもよく、第１固定接続部材が宝石軸受である場合に、第２固定接続部材は頂部錐体であり、第１固定接続部材が頂部錐体である場合に、第２固定接続部材は宝石軸受であり、以下、それぞれ第１固定接続部材が宝石軸受である場合と第１固定接続部材が頂部錐体である場合について、ブラケットの構造を説明する。
【００１７】
本発明の一実施例では、図３に示すように、宝石軸受３０３１が第１固定接続部材として固定支持部３０１に固定的に接続され、頂部錐体３０３２が第２固定接続部材として可動支持部３０２に固定的に接続され、頂部錐体３０３２の先端が宝石軸受３０３１の凹溝に位置し、頂部錐体３０３２の先端と宝石軸受３０３１の凹溝の底部とが点接触するようになっている。固定支持部３０１が宝石軸受３０３１により、固定的に接続された頂部錐体３０３２及び可動支持部３０１を支持する。
【００１８】
本発明の一実施例では、図４に示すように、頂部錐体４０３１が第１固定接続部材として固定支持部４０１に固定的に接続され、宝石軸受４０３２が第２固定接続部材として可動支持部４０２に固定的に接続され、頂部錐体４０３１の先端と宝石軸受４０３２の底部とが点接触するようになっている。固定支持部４０１は頂部錐体４０３１により、固定的に接続された宝石軸受４０３２及び可動支持部４０１を支持する。
【００１９】
本発明の一実施例では、該ブラケットは更に少なくとも一対の磁石を含み、各対の磁石について、この一対の磁石のうちの第１磁石が固定支持部における可動支持部に近い一側に固定され、この一対の磁石のうちの第２磁石が可動支持部における固定支持部に近い一側に固定されており、第１磁石と第２磁石が平行にオーバーラップしており、第１磁石と第２磁石の互いに近づいている面が同性磁極である。以下、ブラケットが二対の磁石を含むことを例として、本発明の実施例で提供されるブラケットを更に説明する。
【００２０】
本発明の一実施例では、図５に示すように、ブラケットは二対の磁石を含み、第１対の磁石は磁石５０４１及び磁石５０４２を含み、第２対の磁石は磁石５０５１及び磁石５０５２を含み、磁石５０４１及び磁石５０５１が固定支持部５０１に固定され、磁石５０４２及び磁石５０５２が可動支持部５０２に固定されている。第１対の磁石のうちの磁石５０４１と磁石５０４２は平行にオーバーラップしており、磁石５０４１と磁石５０４２の互いに近づけている面は極性が同様である磁極を有しており、例えば、磁石５０４１のＮ極が可動支持部５０２に指向し、磁石５０４２のＮ極が固定支持部５０１に指向しており、第２対の磁石のうちの磁石５０５１と磁石５０５２は平行にオーバーラップしており、磁石５０５１と磁石５０５２の互いに近づけている面は極性が同様である磁極を有しており、例えば、磁石５０５１のＳ極が可動支持部５０２に指向し、磁石５０５２のＳ極が固定支持部５０１に指向している。
【００２１】
本発明の一実施例では、図６に示すように、固定支持部６０１はＵ型構造であり、Ｕ型構造の固定支持部６０１は横梁６０１１、第１縦梁６０１２及び第２縦梁６０１３を含み、ここで、横梁６０１１が第１縦梁６０１２と第２縦梁６０１３の間に固定的に接続され、横梁６０１１が第１固定接続部材６０３１に固定的に接続され、可動支持部６０２が第２固定接続部材６０３２に固定的に接続され、第１縦梁６０１２及び第２縦梁６０１３がいずれもボルトにより支持表面とする固定台６０６に固定されており、固定台６０６がブラケット全体を支持する。
【００２２】
本発明の一実施例では、図７に示すように、固定支持部７０１は「二段門」型構造であり、「二段門」型構造の固定支持部７０１は頂部横梁７０１１、中部横梁７０１２、第１縦梁７０１３及び第２縦梁７０１４を含み、２つの横梁が２つの縦梁の間に固定的に接続され且つ２つの横梁の間に貫通孔が形成されている。可動支持部７０２が頂部横梁７０１１と中部横梁７０１２の間の隙間を貫通し、中部横梁７０１２が第１固定接続部材７０３１に固定的に接続され、第１固定接続部材が可動支持部７０２に固定された第２固定接続部材７０３２に対応し、中部横梁７０１２が可動支持部７０２を支持するようになっており、第１縦梁７０１３及び第２縦梁７０１４がいずれもボルトにより支持表面とする固定台７０６に固定されており、固定台７０６がブラケット全体を支持する。
【００２３】
本発明の実施例では、頂部横梁７０１２は取り外し可能に第１縦梁７０１３及び第２縦梁７０１４に接続されて可動支持部７０２の取り付けと取り外しを容易にした。
【００２４】
本発明の一実施例では、図６及び図７に示すように、可動支持部が中央に貫通孔を備えた正四角形枠状構造であり、可動支持部における第１横梁が第１固定接続部材に固定的に接続され、固定接続部における支持横梁が枠状構造の可動支持部における貫通孔を貫通し、支持横梁に固定された第２固定接続部材が第１固定接続部材に対応するようになっており、可動支持部における第１横梁に対向する第２横梁と外部の被支持物が固定的に接続されている。図６に示すように、横梁６０１１は可動支持部６０２の中部の貫通孔を貫通し、第１固定接続部材６０３１及び第２固定接続部材６０３２により可動支持部６０２における第１横梁６０２１に接続されており、図７に示すように、中部横梁７０１２は可動支持部７０２の中部の貫通孔を貫通し、第１固定接続部材６０３１及び第２固定接続部材６０３２により可動支持部７０２における第１横梁７０２１に接続されている。
【００２５】
図８に示すように、本発明の一実施例は、回転軸８０７及び本発明の実施例で提供されるいずれか一つのブラケット８０１を含むトロンボエラストグラフであって、
前記回転軸８０７が前記被支持物として前記ブラケット８０１における前記可動支持部に固定的に接続されており、
前記回転軸８０７が被検血液に駆動されて前記可動支持部を連動して転動させることができるトロンボエラストグラフを提供する。
【００２６】
本発明の一実施例では、図９に示すように、トロンボエラストグラフは、回転軸９０７、固定台９０６及び図７に示すブラケットを含み、
前記ブラケットにおける第１固定接続部材９０３１が固定支持部９０１の中部横梁９０１１に固定され、第２固定接続部材９０３２が可動支持部９０２の上部の横梁９０２１に固定され、第１固定接続部材９０３１が第２固定接続部材９０３２に対応しており、それにより固定支持部９０１と可動支持部９０２を点接触の方式により接続し、
可動支持部９０２の下部の横梁９０２２が回転軸９０７に固定的に接続されており、
固定支持部９０１の２本の縦梁９０１２がボルトにより固定台９０６に固定されており、固定台９０６がブラケット全体及び回転軸９０７を支持する。
【００２７】
本発明の実施例では、第１固定接続部材９０３１は宝石軸受であり、第２固定接続部材９０３２は頂部錐体であり、頂部錐体の先端は宝石軸受の錐体形凹溝に位置しており、頂部錐体の先端と錐体形凹溝の底部が点接触し、固定支持部９０１は該点接触により可動支持部９０２及び回転軸９０７を支持する。第１固定接続部材は剛性が適切である他のいかなる材料、例えばガラス、合金、金属などであってもよいことが理解可能である。
【００２８】
本発明の実施例では、図９に示すように、該回転式トロンボエラストグラフは更に一対の環状磁石を含んでもよく、図１０に示すように、この一対の環状磁石のうちの第１環状磁石１００４１が固定支持部の中部横梁１００１１に固定され、第１環状磁石１００４１の軸線が第１固定接続部材１００３１（宝石軸受）の軸線に重なり合っており、この一対の環状磁石のうちの第２環状磁石１００４２が可動支持部の上部横梁１００２１に固定され、第２環状磁石１００４２の軸線が第２固定接続部材１００３２（頂部錐体）の軸線に重なり合っており、第１環状磁石１００４１の可動支持部上部横梁１００２１の方向に指向する磁極と第２環状磁石１００４２の固定支持部中部横梁１００１１の方向に指向する磁極が同性磁極であり、例えば、図１０に示す位置状態で、第１環状磁石１００４１の上向きの方向がＮ極であり、第２環状磁石１００４２の下向きの方向がＮ極である。
【００２９】
本発明の一実施例では、図１１に示すように、トロンボエラストグラフは更に昇降機構１１０８を含んでもよく、昇降機構１１０８が固定台１１０６に接続されており、昇降機構１１０８により固定台１１０６の上昇又は降下を実現可能であり、それによりブラケット及び回転軸を連動して上昇させたり降下させたりして、回転軸を被検血液に入れ又は被検血液から取り出すことを容易にした。
【００３０】
本発明の実施例で提供されるトロンボエラストグラフの構造をより明らかに説明するために、以下、図９に示すトロンボエラストグラフを参照しながら、該トロンボエラストグラフの使用方法を説明する。図１２に示すように、本発明の実施例で提供されるトロンボエラストグラフの使用方法は、以下を含む。
【００３１】
ステップ１２０１、回転軸を被検血液に置く。
【００３２】
本発明の一実施例では、図９に示すトロンボエラストグラフにより血液を測定する時、被検血液を血液収容容器に収容し、血液収容容器を固定台９０６の下方に置き、昇降機構により固定台９０６を連動して降下させ、回転軸９０７が固定台９０６と連動して血液収容容器に伸び込むようになり、所定の長さの回転軸９０７を被検血液に没入させる。
【００３３】
ステップ１２０２、被検血液を転動させて回転軸を連動して転動させる。
【００３４】
本発明の一実施例では、回転軸９０７の下端の所定の長さを被検血液に没入させた後、回転装置により血液収容容器を一定の速度で回転させ、血液収容容器が回転して収容された被検血液を連動して転動させるようになり、被検血液が一定の粘性を有するため、被検血液が転動して回転軸９０７上で回転トルクを発生し、回転軸９０７が該回転トルクの作用で転動し、被検血液の粘性が大きいほど、回転軸９０７の転動角度が大きい。
【００３５】
本発明の実施例では、回転軸９０７が可動支持部９０２に固定的に接続されているため、回転軸９０７が転動すると、可動支持部９０２が宝石軸受９０３１と頂部錐体９０３２の間の接触点の回りに回転軸９０７と同一角度の転動を発生し、固定支持部９０１が宝石軸受９０３１及び頂部錐体９０３２により回転軸９０７及び可動支持部９０２を支持し、宝石軸受９０３１と頂部錐体９０３２の間が単一の点で接触するため、宝石軸受９０３１と頂部錐体９０３２が相対的に転動する時に発生する摩擦力が小さくて、回転軸９０７が転動する時にブラケットがそれに対して発生する回転抵抗を低減する。
【００３６】
ステップ１２０３、回転軸の転動角度に基づいて被検血液の粘弾性を確定する。
【００３７】
本発明の一実施例では、各類のセンサーにより回転軸９０７の転動角度を検出し、回転軸９０７の転動角度に基づいて血栓弾性記録図を形成し、血栓弾性記録図に基づいて被検血液粘弾性を体現する指標パラメーターを取得し、又は、回転軸９０７の転動角度を直接的に被検血液粘弾性を体現する指標パラメーターに変換する。
【００３８】
ステップ１２０４、回転軸を被検血液から取り出す。
【００３９】
本発明の一実施例では、被検血液の粘弾性を取得した後、昇降機構により固定台９０６を上昇させ、固定台９０６が上昇してそれに固定的に接続された固定支持部９０１を連動して上昇させるようになり、固定支持部９０１が宝石軸受９０３１及び頂部錐体９０３２により可動支持部９０２を支持するため、固定支持部９０１が上昇して可動支持部９０２を連動して上昇させるようになり、更に、可動支持部９０２が回転軸９０７に固定的に接続されているため、可動支持部９０２が上昇して回転軸９０７を連動して上昇させるようになり、それにより回転軸９０７を血液収容容器から取り出し、被検血液の測定を完成する。
【００４０】
図１３に示すように、本発明の一実施例は、被支持物１３０１及び本発明の実施例で提供されるいずれか一つのブラケット１３０２を含む支持システムであって、
被支持物１３０１が前記ブラケット１３０２における可動支持部に固定的に接続されており、前記被支持物１３０１が外部駆動作用で前記可動支持部を連動して転動させることができる支持システムを更に提供する。
【００４１】
本発明の一実施例は、
被支持物が外部の駆動作用を受けるステップＡと、
被支持物が外部の駆動作用で可動支持部を連動して転動させるステップＢとを含む支持システムの使用方法を提供する。
【００４２】
上記ステップＢにおいて、被支持物が可動支持部に固定的に接続され、固定支持部が点接触の方式により可動支持部に接続されており、被支持物が外部駆動作用で、可動支持部を連動して点接触の接触点の回りに転動させるようになっており、固定支持部が１つの接触点のみにより可動支持部及び被支持物を支持するため、可動支持部と固定支持部が相対的に転動する時に発生する摩擦力が小さく、それにより被支持物が転動する時に受ける回転抵抗を低減する。
【００４３】
本発明の一実施例では、回転軸がそのうちの一種の被支持物とする時、該支持システムは上記実施例で提供されるトロンボエラストグラフであり、その回転部材が被支持物とする時に、該支持システムは他の機器、設備に応用可能である。
【００４４】
本発明の実施例では、いずれのブラケットもトロンボエラストグラフに利用可能であり、勿論、他の設備に利用してもよく、それによりその支持作用を完成し、例えばトロンボエラストグラフのような被支持物が回転する時に受ける回転抵抗を低減することを実現することを説明する必要がある。
【００４５】
本発明で提供される各実施例は、少なくとも以下のような有益な効果を有する。
１、本発明の実施例では、固定支持部が接続部により可動支持部と被支持物を支持し、接続部における第１固定接続部材と第２固定接続部材が点接触の方式により一体に接続されており、被支持物が力を受けた後可動支持部を駆動して第１固定接続部材と第２固定接続部材の間の接触点の回りに転動させる。第１固定接続部材と第２固定接続部材が点接触の方式により一体に接続されているため、可動支持部が固定支持部に対して転動する時に可動支持部の転動を妨げる摩擦力を発生する接触点が１つしかなく、このようにしてブラケット上で発生する摩擦力が非常に小さくて、被支持物が回転する時に受ける回転抵抗を低減する。
２、本発明の実施例では、接続部に含まれる２つの固定接続部材は宝石軸受と頂部錐体であってよく、頂部錐体の先端が宝石軸受の錐体形凹溝に位置し、頂部錐体の先端と錐体形凹溝の底部が点接触するようになっており、宝石軸受と頂部錐体が相対的に転動する時に発生する摩擦力が小さく、それにより被支持物が回転する時に受けるブラケットからの回転抵抗を低減することができ、該ブラケットをトロンボエラストグラフに応用する時にトロンボエラストグラフの感度及び測定の正確性を高めることができる。
３、本発明の実施例では、宝石軸受が固定支持部に固定されてもよく、可動支持部に固定されてもよく、それに対応するように頂部錐体が可動支持部又は固定支持部に固定され、必要とされる構造及び機能に応じて柔軟に選択可能であり、該ブラケットの適用性を高めた。
４、本発明の実施例では、ブラケットは少なくとも一対の磁石を含んでよく、各対の磁石のうちの１つの磁石が固定支持部に固定され、もう一つの磁石が可動支持部に固定され、一対の磁石が平行にオーバーラップし且つ同性磁極が対向するようになっており、このようにして、同性が互いに排斥し合う原理により、固定支持部における磁石が可動支持部における磁石に上向きの磁力を施し、該磁力は第１固定接続部材と第２固定接続部材の点接触の間の圧力を低減することができ、点接触の間の圧力が小さくなることで更に点接触により発生する摩擦力を低減して、更に被支持物が回転する時に受ける回転抵抗を低減することができる。
５、本発明の実施例では、固定支持部はＵ型構造であってもよく、「二段門」型構造であってもよく、必要に応じて柔軟に選択して該ブラケットの適用性を高めることができ、ここで「二段門」型構造をトロンボエラストグラフに応用する時に、頂部横梁は可動支持部に一定の保護作用を果たして、測定過程で可動支持部と意外に接触することを回避することができ、トロンボエラストグラフの測定結果の信頼性を高めた。
【００４６】
本明細書において、例えば第１と第２のような関係を示す専門用語は１つの実体又は操作を別の実体又は操作から区別するためのものに過ぎず、これらの実体又は操作の間にいかなるこのような実際の関係又は順序も存在することを必ずしも要求し又は暗示するというわけではないことを説明する必要がある。また、専門用語の「備える」、「含む」又はそのいかなる変体は非排他的に含むことを包括する意図があり、それにより一連の要素を含む過程、方法、物品又は設備はそれらの要素を含むだけでなく、明確に列挙されていない他の要素を更に含み、又は、このような過程、方法、物品又は設備に固有の要素を更に含む。より多い制限を加えない限り、「１つ含む」という語句により限定された要素については、前記要素を含む過程、方法、物品又は設備に更に別の同様の要素を含む場合を排除していない。
【発明の各態様】
【００４７】
以下の番号をつけた各態様は本発明を更に開示する。
１、固定支持部と、
被支持物に固定的に接続可能であり、前記被支持物に駆動されて前記第１固定接続部材と前記第２固定接続部材の間の点接触により前記固定支持部に対して転動可能である可動支持部と、
前記固定支持部に固定的に接続された第１固定接続部材及び前記可動支持部に固定的に接続された第２固定接続部材を備える接続部とを含むブラケットであって、
前記第１固定接続部材と前記第２固定接続部材が点接触の方式により一体に接続されて前記第１固定接続部材と前記第２固定接続部材を相対的に転動可能にしたブラケット。
２、前記第１固定接続部材は軸受であり、前記第２固定接続部材は錐体状構造であり、又は、
前記第１固定接続部材は錐体状構造であり、前記第２固定接続部材は軸受であり、
前記軸受は錐体形凹溝を有し、また、前記錐体状構造の先端は前記錐体形凹溝内に位置して前記錐体状構造と前記軸受を点接触の方式により接続する態様１に記載のブラケット。
３、前記第１固定接続部材は宝石軸受を含み、前記第２固定接続部材は頂部錐体を含み、又は、
前記第１固定接続部材は頂部錐体を含み、前記第２固定接続部材は宝石軸受を含み、
前記宝石軸受は錐体形凹溝を備え、前記頂部錐体は錐体状構造であり、前記頂部錐体の先端が前記宝石軸受の錐体形凹溝内に位置して前記頂部錐体と前記宝石軸受を点接触の方式により接続する態様１に記載のブラケット。
４、更に少なくとも一対の磁石を含み、
各対の磁石について、この一対の磁石のうちの第１磁石が前記固定支持部における前記可動支持部に近い一側に固定され、この一対の磁石のうちの第２磁石が前記可動支持部における前記固定支持部に近い一側に固定されており、
前記第１磁石と前記第２磁石が平行にオーバーラップしており、近づけている２つの面が同性磁極である態様１に記載のブラケット。
５、前記固定支持部はＵ型構造であり、２本の縦梁及び前記２本の縦梁の間に固定的に接続された横梁を含み、
前記Ｕ型構造の前記横梁は前記第１固定接続部材に固定的に接続されている態様１に記載のブラケット。
６、前記２本の縦梁は支持表面に固定されて前記横梁を支持し、且つ前記接続部により前記可動支持部を支持する態様５に記載のブラケット。
７、前記固定支持部は、「二段門」型構造であり、２本の縦梁及び前記２本の縦梁の間に固定的に接続された２本の横梁を含み、前記２本の横梁の間に貫通孔が形成されており、
前記可動支持部は前記貫通孔を貫通し、前記接続部により前記「二段門」型構造の中部の横梁に接続されている態様１に記載のブラケット。
８、前記２本の縦梁は支持表面に固定されて前記２本の横梁を支持し、且つ前記接続部により前記可動支持部を支持する態様７に記載のブラケット。
９、前記可動支持部は、中央に貫通孔を備えた正四角形枠状構造であり、第１と第２横梁及び第１と第２縦梁を含み、前記第１横梁が前記第２固定接続部材に固定的に接続されており、
前記固定支持部は前記可動支持部における前記貫通孔を貫通し、前記接続部により前記可動支持部の第１横梁に接続されており、
前記可動支持部の第２横梁は前記被支持物に固定的に接続可能である態様１〜８のいずれか一項に記載のブラケット。
１０、回転軸及び態様１〜６のいずれか一項に記載のブラケットを含み、
前記回転軸は前記被支持物として前記ブラケットにおける前記可動支持部に固定的に接続されており、
前記回転軸は被検血液に駆動されて前記可動支持部を連動して転動させることができるトロンボエラストグラフ。
１１、前記固定支持部がＵ型構造又は「二段門」型構造である場合に、更に、前記固定支持部の２本の縦梁に固定的に接続された固定台を含む態様１０に記載のトロンボエラストグラフ。
１２、更に、前記固定台に接続されて前記固定台を連動して上昇させたり降下させたりする昇降機構を含む態様１１に記載のトロンボエラストグラフ。
１３、被支持物及び態様１〜９のいずれか一項に記載のブラケットを含み、
前記被支持物は前記ブラケットにおける可動支持部に固定的に接続されており、外部の駆動作用で前記可動支持部を連動して転動させることができる支持システム。
１４、回転軸を被検血液に置くこと、
被検血液を転動させて回転軸を連動して転動させ、転動する時に、前記第１固定接続部材と前記第２固定接続部材が点接触を保持すること、
回転軸の転動角度に基づいて被検血液の粘弾性を確定することを含む、態様１０−１２のいずれか一項に記載のトロンボエラストグラフの使用方法。
１５、被支持物が外部の駆動作用を受けること、
被支持物が外部の駆動作用で可動支持部を連動して転動させ、転動する時に、前記第１固定接続部材と前記第２固定接続部材が点接触を保持することを含む、態様１３に記載の支持システムの使用方法。
【００４８】
最後に説明する必要があるのは、以上の説明が本発明の好ましい実施例に過ぎず、ただ本発明の技術的解決手段を説明するためのものであり、本発明の保護範囲を限定する意図がないことである。本発明の主旨と原則を逸脱しない限り行ったいかなる変更、同等な取り替え、改進も本発明の保護範囲に含まれる。
【図１】
2019516116.tif 000003
【図２】
2019516116.tif 000004
【図３】
2019516116.tif 000005
【図４】
2019516116.tif 000006
【図５】
2019516116.tif 000007
【図６】
2019516116.tif 000008
【図７】
2019516116.tif 000009
【図８】
2019516116.tif 000010
【図９】
2019516116.tif 000011
【図１０】
2019516116.tif 000012
【図１１】
2019516116.tif 000013
【図１２】
2019516116.tif 000014
【図１３】
2019516116.tif 000015
【国際調査報告】
2019516116.tif 000016
2019516116.tif 000017
2019516116.tif 000018
2019516116.tif 000019